(57)【要約】推薦を生成する方法は、推薦を生成するために、少なくとも１つの好みに関連付けられる２つ以上のカテゴリを有する該少なくとも１つの好みに関するフィードバックをユーザに促す段階と、２つ以上のカテゴリのそれぞれに対応する少なくとも１つの視覚的合図を表示する段階と、対応する少なくとも１つの視覚的合図に少なくとも部分的に基づいて２つ以上のカテゴリのうちの１つを選択する段階と、選択に少なくとも部分的に基づいて推薦を生成する段階とを有する。推薦を生成する段階は、テレビジョン番組といったビデオコンテンツに対する推薦を生成することが好適であり、少なくとも１つの好みは、アクション、コメディアクション、サスペンスアクション、ドラマ、コメディ、ドキュメンタリー、及びロマンスといったテレビジョン番組のジャンルである。
2006521735.tif 000002
【特許請求の範囲】
【請求項１】
推薦を生成する方法であって、
推薦を生成するために、少なくとも１つの好みに関連付けられる２つ以上のカテゴリを有する該少なくとも１つの好みに関するフィードバックをユーザに促す段階と、
前記２つ以上のカテゴリのそれぞれに対応する少なくとも１つの視覚的合図を表示する段階と、
前記対応する少なくとも１つの視覚的合図に少なくとも部分的に基づいて前記２つ以上のカテゴリのうちの１つを選択する段階と、
前記選択に少なくとも部分的に基づいて推薦を生成する段階と、
を有する方法。
【請求項２】
前記生成段階は、ビデオコンテンツに対する推薦を生成する請求項１記載の方法。
【請求項３】
前記ビデオコンテンツは、テレビジョン番組である請求項２記載の方法。
【請求項４】
前記少なくとも１つの好みは、前記テレビジョン番組のジャンルである請求項３記載の方法。
【請求項５】
前記テレビジョン番組の前記ジャンルに関連付けられる前記２つ以上のカテゴリは、アクション、コメディアクション、サスペンスアクション、ドラマ、コメディ、ドキュメンタリー、及びロマンスから構成されるグループから選択される請求項４記載の方法。
【請求項６】
前記少なくとも１つの視覚的合図は、各ジャンルのビデオクリップ、各ジャンルからのトレーラ、各ジャンルを説明するテキスト情報、及び各ジャンルの特定の例から構成されるグループから選択される請求項５記載の方法。
【請求項７】
前記表示段階は、
前記２つ以上のカテゴリのそれぞれに対応する選択手段を表示する段階と、
前記選択手段の選択によって前記２つ以上のカテゴリに対応する前記少なくとも１つの視覚的合図を表示する段階と、
を有する請求項１記載の方法。
【請求項８】
前記選択手段を表示する段階は、
前記２つ以上のカテゴリのそれぞれに近接して表示されるボタンを有するユーザインタフェースを供給する段階を有し、
前記ボタンの選択は、該ユーザインタフェースを介して達成される請求項７記載の方法。
【請求項９】
推薦を生成するための機器であって、
推薦を生成するために、少なくとも１つの好みに関連付けられる２つ以上のカテゴリを有する該少なくとも１つの好みに関するフィードバックをユーザに促すインタフェースを生成する手段と、
前記ユーザインタフェース上に前記２つ以上のカテゴリのそれぞれに対応する少なくとも１つの視覚的合図を表示する手段と、
前記対応する少なくとも１つの視覚的合図に少なくとも部分的に基づいて前記ユーザインタフェースから前記２つ以上のカテゴリのうちの１つを選択する手段と、
前記選択に少なくとも部分的に基づいて推薦を生成するリコメンダと、
を有する機器。
【請求項１０】
前記リコメンダは、ビデオコンテンツに対する推薦を生成する請求項９記載の機器。
【請求項１１】
前記ビデオコンテンツは、テレビジョン番組である請求項１０記載の機器。
【請求項１２】
前記少なくとも１つの好みは、前記テレビジョン番組のジャンルである請求項１１記載の機器。
【請求項１３】
前記テレビジョン番組の前記ジャンルに関連付けられる前記２つ以上のカテゴリは、アクション、コメディアクション、サスペンスアクション、ドラマ、コメディ、ドキュメンタリー、及びロマンスから構成されるグループから選択される請求項１２記載の機器。
【請求項１４】
前記少なくとも１つの視覚的合図は、各ジャンルのビデオクリップ、各ジャンルからのトレーラ、各ジャンルを説明するテキスト情報、及び各ジャンルの特定の例から構成されるグループから選択される請求項１３記載の機器。
【請求項１５】
前記表示手段は、
前記２つ以上のカテゴリのそれぞれに対応する選択手段を前記ユーザインタフェース上に表示する手段と、
前記選択手段の選択によって前記２つ以上のカテゴリに対応する前記少なくとも１つの視覚的合図を表示する手段と、
を有する請求項９記載の機器。
【請求項１６】
前記選択手段を表示する手段は、
前記２つ以上のカテゴリのそれぞれに近接して前記ユーザインタフェース上にボタンを表示することを有する請求項１５記載の機器。
【請求項１７】
推薦を生成するためにコンピュータ可読媒体内に具現化されるコンピュータプログラムであって、
推薦を生成するために、少なくとも１つの好みに関連付けられる２つ以上のカテゴリを有する該少なくとも１つの好みに関するフィードバックをユーザに促すコンピュータ可読プログラムコード手段と、
前記２つ以上のカテゴリのそれぞれに対応する少なくとも１つの視覚的合図を表示するコンピュータ可読プログラムコード手段と、
前記対応する少なくとも１つの視覚的合図に少なくとも部分的に基づいて前記２つ以上のカテゴリのうちの１つを選択するコンピュータ可読プログラムコード手段と、
前記選択に少なくとも部分的に基づいて推薦を生成するコンピュータ可読プログラムコード手段と、
を有するコンピュータプログラム。
【請求項１８】
前記２つ以上のカテゴリのそれぞれに対応する前記少なくとも１つの視覚的合図を表示するコンピュータ可読プログラムコードは、
前記２つ以上のカテゴリのそれぞれに対応する選択手段を表示するコンピュータ可読プログラムコードと、
前記選択手段の選択によって前記２つ以上のカテゴリに対応する前記少なくとも１つの視覚的合図を表示するコンピュータ可読プログラムコードと、
を有する請求項１７記載のコンピュータプログラム。
【請求項１９】
推薦を生成する方法段階を行うよう機械によって実行可能な命令のプログラムを明白に具現化する、該機械によって可読なプログラム記憶装置であって、
前記方法は、
推薦を生成するために、少なくとも１つの好みに関連付けられる２つ以上のカテゴリを有する該少なくとも１つの好みに関するフィードバックをユーザに促す段階と、
前記２つ以上のカテゴリのそれぞれに対応する少なくとも１つの視覚的合図を表示する段階と、
前記対応する少なくとも１つの視覚的合図に少なくとも部分的に基づいて前記２つ以上のカテゴリのうちの１つを選択する段階と、
前記選択に少なくとも部分的に基づいて推薦を生成する段階と、
を有する、プログラム記憶装置。
【請求項２０】
前記表示段階は、
前記２つ以上のカテゴリのそれぞれに対応する選択手段を表示する段階と、
前記選択手段の選択によって前記２つ以上のカテゴリに対応する前記少なくとも１つの視覚的合図を表示する段階と、
を有する請求項１９記載のプログラム記憶装置。
【発明の詳細な説明】
【技術分野】
【０００１】
本発明は、一般的にリコメンダに係り、より具体的には、フィードバック処理時にユーザを支援するための視覚的合図の表示を有するリコメンダに係る。
【背景技術】
【０００２】
ＴｉＶｏ（商標）及びＲｅｐｌａｙＴＶ（商標）といった明示的なＴＶリコメンダシステムは、当該技術において周知である。このようなリコメンダシステムは、明示的なインタフェースを介してテレビジョン番組に関するユーザの好みを収集する。ユーザは、時間、ジャンル、言語等の所定のカテゴリセットのうちから選択することが要求される。ユーザの好みに対応するカテゴリの選択と共に、ユーザは、一部の明示的なＴＶリコメンダシステムではカテゴリに対して重みを特定することも可能である。そのようなリコメンダシステムの１つの主な問題は、ユーザによる一部のカテゴリの解釈は、プロバイダによって元々意図された意味と同じ意味を有さない場合があるということである。例えば、ある人々は、アクション番組、特に、速いアクション番組（例えば、ジャッキー・チェンの映画等）を「アクション」として見るが、別の人々は、特に、ドラマといったゆっくりとした動作に基づいた番組をアクション番組と見る場合がある。人々は更に、アクション番組をコメディアクション又はサスペンスアクション映画として見るかも知れない。
【０００３】
従って、当該技術において、フィードバック処理時にユーザを支援するための視覚的合図の表示を有するリコメンダが必要である。
【発明の開示】
【発明が解決しようとする課題】
【０００４】
従って、本発明は、従来技術のリコメンダシステムに関連付けられる不利点を解決する、ユーザのフィードバックに少なくとも部分的に基づいて推薦を生成するリコメンダシステムを提供することを目的とする。
【課題を解決するための手段】
【０００５】
明示的なＴＶリコメンダシステムは、明示的なインタフェースを介してユーザの好みを収集するので、ユーザによるコンテンツの一部のカテゴリの解釈は、コンテンツのプロバイダによって元々意図された意味と同じ意味を有さない場合があり得る。この問題を解決するために、本発明の機器及び方法は、ユーザがコンテンツプロバイダの意図に従ってカテゴリを正確に選択することを可能にするために視覚的合図（例えば、ビデオクリップ／トレーラー）を表示する。
【０００６】
従って、推薦を生成する方法を提供する。この方法は、推薦を生成するために、少なくとも１つの好みに関連付けられる２つ以上のカテゴリを有する該少なくとも１つの好みに関するフィードバックをユーザに促す段階と、２つ以上のカテゴリのそれぞれに対応する少なくとも１つの視覚的合図を表示する段階と、対応する少なくとも１つの視覚的合図に少なくとも部分的に基づいて２つ以上のカテゴリのうちの１つを選択する段階と、選択に少なくとも部分的に基づいて推薦を生成する段階とを有する。
【０００７】
推薦を生成する段階は、ビデオコンテンツに対する推薦を生成することが好適である。ビデオコンテンツは、テレビジョン番組であり、少なくとも１つの好みは、テレビジョン番組のジャンルであることが好適である。テレビジョン番組のジャンルに関連付けられる２つ以上のカテゴリは、アクション、コメディアクション、サスペンスアクション、ドラマ、コメディ、ドキュメンタリー、及びロマンスから構成されるグループから選択されることが好適である。その場合、少なくとも１つの視覚的合図は、各ジャンルのビデオクリップ、各ジャンルからのトレーラ、各ジャンルを説明するテキスト情報、及び各ジャンルの特定の例から構成されるグループから選択される。
【０００８】
少なくとも１つの視覚的合図を表示する段階は、２つ以上のカテゴリのそれぞれに対応する選択手段を表示する段階と、選択手段の選択によって２つ以上のカテゴリに対応する少なくとも１つの視覚的合図を表示する段階とを有する。選択手段を表示する段階は、２つ以上のカテゴリのそれぞれに近接して表示されるボタンを有するユーザインタフェースを供給する段階を有し、ボタンの選択はユーザインタフェースを介して達成されることが好適である。
【０００９】
推薦を生成するための機器も提供する。この機器は、推薦を生成するために、少なくとも１つの好みに関連付けられる２つ以上のカテゴリを有する該少なくとも１つの好みに関するフィードバックをユーザに促すインタフェースを生成する手段と、ユーザインタフェース上に２つ以上のカテゴリのそれぞれに対応する少なくとも１つの視覚的合図を表示する手段と、対応する少なくとも１つの視覚的合図に少なくとも部分的に基づいてユーザインタフェースから２つ以上のカテゴリのうちの１つを選択する手段と、選択に少なくとも部分的に基づいて推薦を生成するリコメンダとを有する。
【００１０】
リコメンダは、ビデオコンテンツに対する推薦を生成することが好適である。ビデオコンテンツは、テレビジョン番組であり、少なくとも１つの好みは、テレビジョン番組のジャンルであることが好適である。テレビジョン番組のジャンルに関連付けられる２つ以上のカテゴリは、アクション、コメディアクション、サスペンスアクション、ドラマ、コメディ、ドキュメンタリー、及びロマンスから構成されるグループから選択されることが好適である。その場合、少なくとも１つの視覚的合図は、各ジャンルのビデオクリップ、各ジャンルからのトレーラ、各ジャンルを説明するテキスト情報、及び各ジャンルの特定の例から構成されるグループから選択される。
【００１１】
表示手段は、２つ以上のカテゴリのそれぞれに対応する選択手段をユーザインタフェース上に表示する手段と、選択手段の選択によって２つ以上のカテゴリに対応する少なくとも１つの視覚的合図を表示する手段とを有することが好適である。選択手段を表示する手段は、２つ以上のカテゴリのそれぞれに近接してユーザインタフェース上にボタンを表示することを有することが好適である。
【００１２】
更に、推薦を生成するためにコンピュータ可読媒体内に具現化されるコンピュータプログラムプロダクトを提供する。このコンピュータプログラムプロダクトは、推薦を生成するために、少なくとも１つの好みに関連付けられる２つ以上のカテゴリを有する該少なくとも１つの好みに関するフィードバックをユーザに促すコンピュータ可読プログラムコード手段と、２つ以上のカテゴリのそれぞれに対応する少なくとも１つの視覚的合図を表示するコンピュータ可読プログラムコード手段と、対応する少なくとも１つの視覚的合図に少なくとも部分的に基づいて２つ以上のカテゴリのうちの１つを選択するコンピュータ可読プログラムコード手段と、選択に少なくとも部分的に基づいて推薦を生成するコンピュータ可読プログラムコード手段とを有する。
【００１３】
２つ以上のカテゴリのそれぞれに対応する少なくとも１つの視覚的合図を表示するコンピュータ可読プログラムコードは、２つ以上のカテゴリのそれぞれに対応する選択手段を表示するコンピュータ可読プログラムコードと、選択手段の選択によって２つ以上のカテゴリに対応する少なくとも１つの視覚的合図を表示するコンピュータ可読プログラムコードとを有することが好適である。
【００１４】
更に、推薦を生成する方法段階を行うよう機械によって実行可能な命令のプログラムを明白に具現化する、該機械によって可読なプログラム記憶装置を提供する。この方法は、推薦を生成するために、少なくとも１つの好みに関連付けられる２つ以上のカテゴリを有する該少なくとも１つの好みに関するフィードバックをユーザに促す段階と、２つ以上のカテゴリのそれぞれに対応する少なくとも１つの視覚的合図を表示する段階と、対応する少なくとも１つの視覚的合図に少なくとも部分的に基づいて２つ以上のカテゴリのうちの１つを選択する段階と、選択に少なくとも部分的に基づいて推薦を生成する段階とを有する。
【００１５】
少なくとも１つの視覚的合図を表示する段階は、２つ以上のカテゴリのそれぞれに対応する選択手段を表示する段階と、選択手段の選択によって２つ以上のカテゴリに対応する少なくとも１つの視覚的合図を表示する段階とを有する。
【発明を実施するための最良の形態】
【００１６】
本発明の機器及び方法のこれらの及び他の特徴、面、及び利点は、以下の説明、請求項、及び添付図面を参照しながらより良好に理解されるであろう。
【００１７】
本発明は、推薦が作成される多数及び様々な対応のコンテンツに適用可能であるが、特に、ビデオコンテンツの環境、また、より具体的には、テレビジョン番組の環境において有用であることが分かっている。従って、本発明の適用可能性をビデオコンテンツ及びテレビジョン番組に対する推薦の生成に制限することなく、本発明はそのような環境において説明する。
【００１８】
図１を参照するに、推薦を生成する機器の好適な実施例を示す。この機器は、参照番号１００として概略的に示す。機器１００は、テレビジョンといったディスプレイ１０４に、ビデオ出力１０６を介して動作可能に接続されるセットトップボックス１０２内に構成されることが好適である。しかし、当業者は、機器１００は、ディスプレイ１０４内に内蔵可能であることも理解するであろう。セットトップボックス１０２は、リコメンダ１１０と、記憶装置１１２と、受信器１１４とに動作可能に接続される中央プロセッサ１０８を有する。
【００１９】
リコメンダエンジンとも称するリコメンダ１１０は、テレビジョン番組といったビデオコンテンツ又は他のコンテンツに対する推薦を、ユーザフィードバック及び／又はユーザの視聴習慣に応じて生成する。このようなリコメンダ１１０は、例えば、２０００年９月２０日に出願し、「Method  and  Apparatus  for  Generating  Recommendation  Scores  Using  Implicit  and  Explicit  Viewing  Preferences」なる名称の同時係属中の米国出願番号０９／６６６，４０１に開示されるように当該技術において周知である。この特許出願文書の内容は本願に参考として組み込む。ハードドライブといった記憶装置１１２は、ユーザによる後での視聴のためのビデオコンテンツと、機器の動作のためのプログラム命令を格納する。リコメンダ１１０は、別個の装置として概略的に示すが、これは、記憶装置１１２上のプログラム命令のセット内に含まれてもよい。更に、記憶装置１１２は、単一の装置として示すが、これは、２つ以上の記憶装置で、それぞれプロセッサ１０８に動作可能に接続されてもよい。
【００２０】
受信器１１４は、機器の遠隔動作と、ディスプレイ１０４のスクリーン１１８上に再現されるユーザインタフェースを介する機器への情報の入力のための制御信号を示す遠隔制御器１１６からのワイヤレス信号を受信する。プロセッサ１０８はそのワイヤレス信号を遠隔制御器１１６から受信し、その信号を、他の信号又はノイズから多重分離し、また、その信号を、機器１００と使用可能にするために必要である場合には変換する手段を有する。プロセッサ１０８は更に、リコメンダ１１０及び記憶装置１１２を制御して、ユーザインタフェースを生成し、このユーザインタフェースをスクリーン１１８上での視聴のためにディスプレイ１０４に出力する。当該技術において周知であるように、ユーザは、遠隔制御器上の単純なボタン１２０を押す及び／又はジョイスティックボタン１２２を操作することによって遠隔制御器１１８によってユーザインタフェースに入力し且つ見渡す。
【００２１】
更に、図２、３、４Ａ、及び４Ｂも更に参照するに、推薦を生成する方法の好適な実施例を説明する。上述したように、一部のタイプのリコメンダは、ビデオ又は他のコンテンツに対する推薦の生成を支援するためにユーザからのフィードバックを使用する。推薦は、そのフィードバックに部分的に又は全体的に基づくことが可能である。本発明の方法は、そのようなリコメンダに向けられる。一般的に、プロセッサ１０８の制御下で、図２において参照番号２００と示すユーザインタフェースが生成され、ディスプレイ１０４のスクリーン１１８上で見られる。ユーザインタフェースは、推薦を生成するために少なくとも１つの好みに関するフィードバックをユーザに催促する。好みの例には、好みの時間枠２０２（例えば、ゴールデンアワー、深夜、週末等）、例えば、英語２０４ａ又はスペイン語２０４ｂといった好みの言語２０４、好みの役者２０６、及び、アクション２０８ａ、コメディ２０８ｂ、ドラマ２０８ｃ、ドキュメンタリー２０８ｄ、及びロマンス２０８ｅといった好みのジャンル２０８が含まれる。「アクション」といった一部のジャンルは、コメディアクション、サスペンスアクション、ゆっくりとしたアクション、及び速いアクションといったように更に分割されることが可能である。
【００２２】
好み２０２乃至２０８は、遠隔制御器１１６上のジョイスティックボタン１２２を用いてリストを調べ、また、適切な好み２０２乃至２０８がハイライトされるときにボタンを押すか、又は、１つ以上の好み２０２乃至２０８に対応する英数字テキストをテキストボックス２１０内に入力することによって選択されることが可能である。或いは、テキストボックス２１０は、上述したように調べて選択されることが可能である代案のドロップダウンリストを有することが可能である。任意の好み２０２乃至２０８に対し利用可能である選択は、本願においてカテゴリと称する。従って、ジャンルの様々な選択は、カテゴリ２０８ａ乃至２０８ｅと称する。当然ながら、好み２０２乃至２０８、並びにそれらのカテゴリ２０４ａ、２０４ｂ、２０８ａ乃至２０８ｂは、例示的に与えているに過ぎず、そのリストを網羅するものではなく、また更には、本発明の範囲又は精神をその記載に制限する意図はない。例えば、他の好みには、ステーションコール信号、レーティング、及び曜日が含まれる。ユーザインタフェース２００には更に、フォードバック処理を終了するための「終了」２１２選択も設けられ、そして、機器１００又はディスプレイ１０４の他の動作を再開する。
【００２３】
ユーザは、ビデオコンテンツのプロバイダが意図したカテゴリの意味とは異なるカテゴリの意味を有する場合があるので、ユーザインタフェース２００は更に、その意味が明らかではないことがあり得る各カテゴリ２０８ａ乃至２０８ｅに対応する少なくとも１つの視覚的合図を表示する。視覚的合図は、ユーザインタフェース２００を横断することによって特定のカテゴリに行き、次に、カテゴリ２０８ａ乃至２０８ｅに対応するボタン２１４ａ乃至２１４ｅに行き、次に、例えば、遠隔制御器１１６上のエンターキーを押すことによってボタンの選択を入力することによってその特定のカテゴリに対して表示されることが好適である。例示目的のためであって本発明の範囲又は精神を制限するためではなく、視覚的合図の表示について、ジャンルの好み２０８とアクションカテゴリ２０８ａに関して例示的に説明する。アクションカテゴリは、２つの選択、速いアクションとゆっくりとしたアクションとを有する例によって示すが、アクションコメディ及び／又はサスペンスアクションといった他のタイプのアクションジャンルも含まれることが可能である。
【００２４】
図３を特に参照するに、参照番号３００と一般的に示す更なるユーザインタフェースを示し、この更なるユーザインタフェースは、ディスプレイ１０４のスクリーン１１８上に、ジャンル好み２０８のアクションカテゴリ２０８ａに対応するボタン２１４ａの選択に応答して表示される。従って、ユーザが自分の好みがアクションであるのかドラマであるのか分からず、カテゴリの選択に関して説明を所望する場合、ユーザはボタン２１４ａを選択し、ユーザインタフェース３００がプロセッサ１０８によって生成され、スクリーン１１８上に表示される。ユーザインタフェース３００は、「アクション：視覚的合図」といった表題３０２と、選択され得る個々の視覚的合図のリスト３０４を有することが好適である。個々の視覚的合図３０２のリストは、テキスト及び／又は口頭の説明３０６、アクションカテゴリからの代表的なビデオコンテンツのビデオクリップ３０８、アクションカテゴリからの代表的なビデオコンテンツからのビデオトレーラ３１０、及び、アクションカテゴリにおけるビデオコンテンツの特定の例３１２を有し得る。ユーザインタフェース３００は更に、ユーザインタフェース２００に戻るための「戻る」選択３１４も有することが好適である。ユーザは、視覚的合図のリスト３０４又は「戻る」選択３１４を横断し、自分の選択を上述したのと同様に、即ち、遠隔制御器１１６のジョイスティックボタン１２２を用いて選択をハイライトするか又はハイライトされたセクションを入力ボタンを押して入力することによって入力する。選択は対応する番号を有することも可能であり、この番号が、遠隔制御器１１６上で押されるとその選択が選択され且つ入力される。
【００２５】
図４Ａを特に参照するに、「説明」視覚的合図３０６が選択されると、プロセッサは、ディスプレイ１０４のスクリーン１１８上にユーザインタフェース４００を生成する。ユーザインタフェース４００は、「アクション：説明」といった表題４０２と、アクションカテゴリ２０８ａのテキスト説明４０４を有する。或いは、又は更に、プロセッサは、推薦生成機器又はディスプレイ１０４に動作可能に接続されたスピーカ（図示せず）を介して説明の口頭の読み出しを生成することが可能である。ユーザインタフェース４００は更に、ユーザインタフェース３００に戻るための「戻る」選択４０６も有する。ユーザインタフェース４００は更に、ユーザインタフェース２００に戻るための「好み」選択４０８も有してもよい。「ビデオクリップ」視覚的合図３０８の選択は、プロセッサ１０８に、記憶装置１１２上に格納された代表アクションビデオコンテンツのビデオクリップを出力するよう命令する。同様に、「ビデオトレーラ」視覚的合図３１０の選択は、プロセッサ１０８に、記憶装置１１２上に格納された代表アクションビデオコンテンツからのビデオトレーラを出力するよう命令する。
【００２６】
図４Ｂを特に参照するに、「例」視覚的合図３１２が選択されると、プロセッサは、ディスプレイ１０４のスクリーン１１８上にユーザインタフェース４５０を生成する。ユーザインタフェース４５０は、「アクション：例」といった表題４５２と、アクションカテゴリ２０８ａのテキストの例４５４を有する。これらの例４５４は、速いアクション４５６及びゆっくりとしたアクション４５８といった例に更に再分割されてもよい。更に、各例４５４は、ビデオトレーラといった対応する視覚的合図４６０を有してもよく、その視覚的合図の選択は、プロセッサ１０８に、選択された例４５４からビデオトレーラを再生するよう命令する。ユーザインタフェース４５０は更に、ユーザインタフェース３００に戻るための「戻る」選択４６２も有する。ユーザインタフェース４５０は更に、ユーザインタフェース２００に戻るための「好み」選択４６４も有してもよい。
【００２７】
当業者は、本願にて説明した視覚的合図３０４は、例として与えたに過ぎず、その網羅的なリストを意味せず、また、本発明の範囲及び精神を制限するものではないことを理解するであろう。更に、説明したユーザインタフェースは様々な表示を有するが、当業者は、インタフェース２００がユーザインタフェース３００に変化する代わりに、ユーザインタフェース３００を有するウィンドウが、背景にユーザインタフェース２００が表示されながら、表示されることが可能であることを理解するであろう。同様にユーザインタフェース４００及び４５０も、背景にユーザインタフェース２００及び／又は３００が表示されながら、ウィンドウ内に表示されることが可能である。このような構成では、「終了」選択は、「ウィンドウを閉じる」選択に取って代えられるであろう。
【００２８】
本発明の方法は特にコンピュータソフトウェアプログラムによって実行されるのに適しており、このようなコンピュータソフトウェアプログラムは、本発明の方法の個々の段階に対応するモジュールを有することが好適である。このようなソフトウェアは、当然ながら、集積チップといったコンピュータ可読媒体又は記憶装置１１２といった周辺装置内に具現化されることが可能である。
【００２９】
本発明の好適な実施例と考えられるものを図示し且つ説明したが、当然ながら、形又は細部における様々な改良及び変更は、本発明の精神から逸脱することなく容易になし得ることを理解するものとする。従って、本発明は、説明及び図示した形に厳密に制限されるのではなく、請求項の範囲に含まれ得る任意の改良及び変更を包含すると解釈すべきである。
【図面の簡単な説明】
【００３０】
【図１】本発明の方法を実行する機器の好適な実施例を示す図である。
【図２】推薦の生成のために有用なフィードバックを入力するためのユーザインタフェースの好適な実施例を示す図である。
【図３】視覚的合図に対応するカテゴリの選択においてユーザを支援するために幾つかの視覚的合図のうちから選択するためのユーザインタフェースの好適な実施例を示す図である。
【図４Ａ】図３にリストされる視覚的合図の一部を表示するユーザインタフェースの好適な実施例を示す図である。
【図４Ｂ】図３にリストされる視覚的合図の一部を表示するユーザインタフェースの好適な実施例を示す図である。
【図１】
2006521735.tif 000003
【図２】
2006521735.tif 000004
【図３】
2006521735.tif 000005
【図４Ａ】
2006521735.tif 000006
【図４Ｂ】
2006521735.tif 000007
【国際調査報告】
2006521735.tif 000008
2006521735.tif 000009